(57)【要約】      （修正有）【課題】迷光対策が施されたカメラを提供する。【解決手段】本発明のカメラは、撮影光路から退避するミラーアップ状態と、該撮影光路内に配置されるミラーダウン状態の間で移動可能なミラーユニット３０を具備し、ミラーユニット３０は、ミラーダウン状態において被写体光を反射してファイダに導くミラー３１と、ミラー３１を保持するとともに、光軸と垂直に延びとともにミラーダウン状態において被写体光が入射する表面側から窪んで形成された段部、及び該段部に隣接して延びる貫通孔、を有する嵌合部が形成されたメインミラー保持枠３３と、該嵌合部に嵌合され、貫通孔を貫通してメインミラー保持枠３３の裏面側から突出する突出部、及び段部に係合する係合部、を有する遮光部材５０と、を備えることを特徴とする。【選択図】図１
2011002531.tif 000002
【特許請求の範囲】
【請求項１】
撮影光路から退避するミラーアップ状態と、該撮影光路内に配置されるミラーダウン状態の間で移動可能なミラーユニットを具備し、
前記ミラーユニットは、前記ミラーダウン状態において被写体光を反射してファイダに導くミラーと、
前記ミラーを保持するとともに、光軸と垂直な方向に延びるとともにミラーダウン状態において被写体光が入射する表面側から窪んで形成された段部、及び該段部に隣接して延びる貫通孔、を有する嵌合部が形成されたミラー保持枠と、
該嵌合部に嵌合され、前記貫通孔を貫通して前記ミラー保持枠の裏面側から突出する突出部、及び前記段部に係合する係合部、を有する遮光部材と、
を備えることを特徴とするカメラ。
【請求項２】
撮影光路から退避するミラーアップ状態と、該撮影光路内に配置されるミラーダウン状態の間で移動可能なミラーユニットを具備し、
前記ミラーユニットは、前記ミラーダウン状態において被写体光を反射してファイダに導くミラーと、
前記ミラーを保持するとともに、撮影状態において撮影光路側となる裏面に、光軸と垂直に延びる溝部が形成されたミラー保持枠と、
前記溝部に挿入された挿入部、前記ミラー保持枠の前記裏面から突出する突出部、を有する遮光部材と、
を備えることを特徴とするカメラ。
【請求項３】
請求項１または２に記載のカメラであって、
前記遮光部材は、発泡部材であること、を特徴とするカメラ。
【請求項４】
請求項１または２に記載のカメラであって、
前記遮光部材は、金属であって反射防止加工が施されていることを特徴とするカメラ。
【発明の詳細な説明】
【技術分野】
【０００１】
本発明は、撮影光路から退避するミラーアップ状態と、該撮影光路内に配置されるミラーダウン状態の間で移動可能なミラーユニットを備えるカメラに関する。
【背景技術】
【０００２】
撮影レンズやカメラ内部の部材よって反射された光（いわゆる迷光）が、撮像部に入射する場合がある。このような迷光を防止するために、ミラーユニット又はその近傍に種々の迷光対策が講じられている（例えば、特許文献１参照）。
【先行技術文献】
【特許文献】
【０００３】
【特許文献１】特開２０００−９８４６９号公報
【発明の概要】
【発明が解決しようとする課題】
【０００４】
本発明の課題は、さらなる迷光対策が施されたカメラを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、撮影光路から退避するミラーアップ状態と、該撮影光路内に配置されるミラーダウン状態の間で移動可能なミラーユニット（３０）を具備し、前記ミラーユニット（３０）は、前記ミラーダウン状態において被写体光を反射してファイダに導くミラー（３１）と、前記ミラー（３１）を保持するとともに、光軸と垂直な方向に延びるとともにミラーダウン状態において被写体光が入射する表面側から窪んで形成された段部（３７）、及び該段部（３７）に隣接して延びる貫通孔（３８）、を有する嵌合部が形成されたミラー保持枠（３３）と、該嵌合部に嵌合され、前記貫通孔（３８）を貫通して前記ミラー保持枠（３３）の裏面側から突出する突出部（５１）、及び前記段部（３７）に係合する係合部（５２）、を有する遮光部材（５０）と、を備えることを特徴とするカメラ（１）である。
請求項２に記載の発明は、撮影光路から退避するミラーアップ状態と、該撮影光路内に配置されるミラーダウン状態の間で移動可能なミラーユニット（３０）を具備し、前記ミラーユニット（３０）は、前記ミラーダウン状態において被写体光を反射してファイダに導くミラー（３１）と、前記ミラー（３１）を保持するとともに、撮影状態において撮影光路側となる裏面に、光軸と垂直に延びる溝部（２３８）が形成されたミラー保持枠（２３３）と、前記溝部（２３８）に挿入された挿入部（２５２）、前記ミラー保持枠（２３３）の前記裏面から突出する突出部（２５１）、を有する遮光部材（２５０）と、を備えることを特徴とするカメラ（１）である。
請求項３に記載の発明は、請求項１または２に記載のカメラ（１）であって、  前記遮光部材（５０，２５０）は、発泡部材であること、を特徴とするカメラ（１）である。
請求項４に記載の発明は、請求項１または２に記載のカメラ（１）であって、前記遮光部材（５０，２５０）は、金属であって反射防止加工が施されていることを特徴とするカメラ（１）である。
なお、符号を付して説明した構成は、適宜改良してもよく、また、少なくとも一部を他の構成物に代替してもよい。
【発明の効果】
【０００７】
本発明によれば、さらなる迷光対策が施されたカメラを提供することができる。
【図面の簡単な説明】
【０００８】
【図１】本発明の第１実施形態を適用したカメラのミラーダウン状態の断面図である。
【図２】本発明の第１実施形態を適用したカメラのミラーアップ状態の断面図である。
【図３】メインミラー保持枠及び、メインミラー保持枠に嵌合された遮光部材とを示す図である。
【図４】図２の部分拡大図であり、迷光の散乱を示す図である。
【図５】第１実施形態の比較形態を示す図である
【図６】本発明の第２実施形態を示す図である。
【発明を実施するための形態】
【０００９】
（第１実施形態）
以下、図面等を参照して、本発明の第１実施形態について説明する。図１は本発明の第１実施形態を適用したカメラ１０の断面図であり、ミラーユニット３０が撮影光路中に配置されたミラーダウン状態（観察状態）にある場合を示す。図２はカメラ１０において、ミラーユニット３０が撮影光路から退避したミラーアップ状態（退避状態）にある場合を示す。
【００１０】
なお、以下の図において、説明と理解を容易にするために、適宜直交座標系を設けた。この座標系では、撮影者が光軸Ａを水平として横長の画像を撮影する場合のカメラ１０の位置（以下、通常の撮影位置という）において撮影者から見て左側に向かう方向をＸ軸プラス方向とする。また、通常の撮影位置において上側に向かう方向をＹ軸プラス方向、通常の撮影位置において被写体に向かう方向をＺ軸プラス方向とする。
【００１１】
カメラ１０はデジタル一眼レフカメラであり、カメラ本体部１１、液晶モニタ１２、マウント部２０、ミラーユニット３０、ファインダ部４０、測距センサ部６０、シャッタ部７０、撮像部８０を備えている。
【００１２】
カメラ本体部１１は、カメラ１０の各部が固定されるメインフレームであり、被写体側の端面にマウント部２０が設けられている。マウント部２０には、撮影レンズや絞りユニットなどを備えた不図示のレンズ鏡筒が着脱自在に装着される。
【００１３】
液晶モニタ１２は、カメラ本体部１１の背面に設けられ、撮像部８０で撮影した静止画像やライブビュー画像のほか、操作に関連した情報などを表示する液晶ディスプレイによって構成されている。
【００１４】
ミラーユニット３０は、メインミラー３１、サブミラー３２及び不図示のミラー駆動部を備えている。メインミラー３１及びサブミラー３２は、撮影時以外は定位置に保持されており、撮影時に所定方向に回動するように構成されている。このミラーユニット３０は、マウント部２０に装着された不図示のレンズ鏡筒を通過した被写体光が入射する位置に設けられ、被写体光をファインダ部４０又はシャッタ部７０及び撮像部８０に入射させる機能を備えている。
【００１５】
メインミラー３１は、被写体光をファインダ部４０に反射させる反射材であり、後述のメインミラー保持枠３３に保持されている。このメインミラー３１の中央部には光の一部を透過させる特性を有する半透過ミラーが用いられている。すなわち、メインミラー３１は、被写体光の一部を透過させてサブミラー３２に被写体光を入射させるようになっている。
【００１６】
サブミラー３２は、メインミラー３１を透過した被写体光の一部を測距センサ部６０に反射させる反射材であり、不図示のサブミラー保持枠に保持されている。サブミラー３２はメインミラー３１に対して回動自在に取り付けられており、その回動によりメインミラー３１に折り畳まれた状態及びメインミラー３１の裏側で起立した状態となる。
【００１７】
メインミラー３１及びサブミラー３２は、撮影前においては、図１に示すミラーダウン状態において、被写体光をファインダ部４０及び測距センサ部６０へそれぞれ反射している。このうち、ファインダ部４０への反射により、撮影者は接眼ユニット１７を通じて被写体を観察できる状態となる。
【００１８】
そして、静止画撮影のために不図示のレリーズボタンが押されると、上述したミラー駆動部によりメインミラー３１が上方に回動してペンタプリズム１６側へミラーアップし、それと連動するようにサブミラー３２も上方に回動してメインミラー３１に重なるように折り畳まれ、図２に示すようなミラーアップ状態となる。
【００１９】
これにより、被写体光がミラーユニット３０の後側に配置されているシャッタ部７０及び撮像部８０に入射されて撮影が可能となる。そして、撮影終了後には、ミラー駆動部によりメインミラー３１及びサブミラー３２がともに下方に回動して、図１に示す定位置に復帰する。
【００２０】
ファインダ部４０は、ファインダスクリーン１５、ペンタプリズム１６及び接眼ユニット１７を備えている。ファインダスクリーン１５は、ミラーユニット３０の上方に配置された光学部材であり、ミラーユニット３０で反射された被写体光が結像することにより像が形成される。ファインダスクリーン１５上の被写体光は、ペンタプリズム１６によって接眼ユニット１７に導かれる。これにより、撮影者はファインダ１８を覗いて被写体光による像を観察することができる。
【００２１】
ペンタプリズム１６は、ファインダスクリーン１５の上方に配置され、ファインダスクリーン１５上に結像された被写体光による像を接眼ユニット１７へ出射するガラス製のプリズムにより構成されている。接眼ユニット１７は、ペンタプリズム１６から出射された被写体光が入射する位置に配置された光学部材であり、被写体光による像を所定の倍率に拡大する部分である。ファインダ１８は、接眼ユニット１７の後方側に配置された接眼光学系であり、撮影者が目視する部分である。
【００２２】
測距センサ部６０は、サブミラー３２で反射した被写体光を入射して、位相差検出方式により被写体光のデフォーカス量を検出する部分であり、不図示の集光レンズ、セパレータレンズ、ラインセンサにより構成されている。この測距センサ部６０は、サブミラー３２の下方に固定配置されている。
【００２３】
シャッタ部７０は、ミラーユニット３０の後方に配置されており、撮影時にメインミラー３１及びサブミラー３２がミラーアップしたときに被写体光が入射される。シャッタ部７０は不図示の複数のシャッタ羽根を備えており、レリーズボタンなどによる撮影指示に応じてシャッタ羽根を開閉させて、撮像部８０に被写体光を入射する。
【００２４】
撮像部８０は、被写体光による像を撮像する撮像手段であり、シャッタ部７０を通過した被写体光が入射する位置に設けられている。撮像部８０は、ローパスフィルタ８１及び撮像素子８２を備えている。撮像素子８２はローパスフィルタ８１の後方に規則的に配置されたフォトダイオード及びＣＣＤ又はＣＭＯＳなどで構成されている。
【００２５】
撮影者によってレリーズスイッチが操作されると、ミラーユニット３０におけるミラー３１，３２が揺動して光路の上側にミラーアップし、被写体像光は撮像部８０の撮像素子１６Ｂへ到達可能となる。そして、シャッタ部７０が所定時間（露光時間）開き、撮像素子１６Ｂが像光に露光される。撮像部８０は、撮像素子１６Ｂによって像光を電気信号に変換し、その電気的な画像情報を画像処理回路が画像処理して、画像表示部１２に画像として表示し、また、撮像画像情報をメモリに記憶（すなわち撮影）する。
【００２６】
次に、ミラーユニット３０におけるメインミラー保持枠３３について説明する。図３はメインミラー保持枠３３及び、メインミラー保持枠３３に嵌合された遮光部材５０とを示す図であり、図３（ａ）は遮光部材５０の斜視図、図３（ｂ）はメインミラー保持枠３３の部分斜視図、図３（ｃ）はメインミラー保持枠３３に遮光部材５０が嵌め込まれた状態を示す部分斜視図である。
【００２７】
メインミラー保持枠３３は、本実施形態においてプラスチックの成型品である。そして、図３（ｂ）に示すようにメインミラー保持枠３３は、矩形形状を有し、ミラーダウン状態において被写体光が入射する側の面（以後、表面という）３５にメインミラー３１を保持する凹部３６が形成されている。凹部３６は、メインミラー３１を隙間なく保持するように、メインミラー３１の形状と略同型であって、本実施形態では矩形形状を有している。そして、メインミラー保持枠３３における凹部３６の被写体側先端部には、表面３５側からその逆の面（裏面）側に向かって窪み、Ｘ方向に延びるように形成された段部３７、及び該段部３７に隣接して延びる貫通孔３８、を有する嵌合部３９が形成されている。
【００２８】
図３（ａ）に示す遮光部材５０は、断面Ｌ字形の細長い部材であり、光拡散効果の高い黒色のスポンジ、ゴム等の発泡部材で製造されている。そして、遮光部材５０は、図３（ｃ）に示すように嵌合部３９に嵌め込まれた状態において嵌合部３９の貫通孔３８を貫通してメインミラー保持枠３３の裏面側から突出する突出部５１と、段部３７に係合する係合部５２と、を備える。
【００２９】
なお、遮光部材５０は、本実施形態のような発泡部材に限定されない。例えば金属材料で製造し、突出部５１の先端５１ａをさらに尖らすように形成してもよい。また、突出部５１に、反射防止用塗装、シボ加工、又は植毛等を行うことにより、より反射防止効果が高くなる。
【００３０】
この遮光部材５０は、メインミラー保持枠３３にメインミラー３１が保持されていない図３（ｂ）の状態で、メインミラー保持枠３３の表面３５側から嵌合部３９に嵌め込まれる。この際、突出部５１が貫通孔３８に挿入され、係合部５２が段部３７に係合するようにして配置される。その後、ミラーが凹部３６に嵌め込まれる。
【００３１】
以上、本実施形態によると、以下の効果を有する。
（１）図４は、図２の部分拡大図であり、迷光の散乱を示す図である。ミラーアップ状態において、撮影光路から入射した光（迷光）は、ミラーユニット３０の先端に設けられた遮光部材５０に衝突する。この遮光部材５０は、発泡部材によって製造されているので散乱効果が高く、光が散乱されて撮像部８０に入射する迷光が減少し、フレアやゴースト等の発生が低減される。
【００３２】
図５は、本実施形態の比較形態を示す図である。図５の比較形態は、メインミラー保持枠１３３と遮光部材１５０とが一体的に製造されている。このようにメインミラー保持枠１３３と遮光部材１５０とを一体的に製造する場合、発泡部材で製造すると、メインミラー保持枠１３３としての十分な強度が確保できない。また、金属材料で製造すると、コストが高くなり、また重くなる。従って、発泡部材又は金属材料での製造は好ましくなく、プラスチック材料で製造されることになる。
【００３３】
しかし、プラスチックで製造する場合、射出成形等が一般的であるが、遮光部材５０の突出部１５１の先端１５１ａを鋭くする成型することが困難となる。このため、撮影光学系から入射した迷光は、突出部１５１の先端１５１ａが鋭角でなく、また発泡部材でもないため、十分に散乱されず、撮像部８０に入射する可能性が高くなる。従って、撮像部８０における、フレアやゴーストの発生低減の効果は少ない。
【００３４】
一方、本実施形態によれば、メインミラー保持枠３３と遮光部材５０とを分離し、メインミラー保持枠３３をプラスチック成型により製造したので、十分な強度を確保するとともに低コストで製造することができる。そして、遮光部材５０を、遮光効果の高い発泡部材または鋭角な突出部５１を有する金属材料で製造したので、高い遮光効果を得ることができる。
【００３５】
（２）ミラーユニット３０は、カメラ１０内部において移動及び停止を繰り返すため、衝撃が加わる。遮光部材５０とメインミラー保持枠３３とを分離した場合において、遮光部材５０をメインミラー保持枠３３に単に接着しただけでは、移動及び停止の衝撃により、接着が剥がれる可能性がある。しかし、本実施形態では、メインミラー保持枠３３の嵌合部３９より遮光部材５０を挿入し、さらにメインミラー３１をその上に配置する構造としたので、遮光部材５０とメインミラー保持枠３３とが分離する可能性が低く、耐久性が向上する。
【００３６】
（３）遮光部材５０を発泡材料にした場合、メインミラー保持枠３３枠の凹部３６において発泡材料で製造された遮光部材５０のうえにメインミラー３１が配置されることになる。従ってミラーアップ及びミラーダウンによってメインミラー３１に加わる衝撃の一部を発泡材料で製造された遮光部材５０で吸収することができ、メインミラー３１の耐久性が向上する。
【００３７】
（第２実施形態）
図６は本発明の第２実施形態を示す図である。第２実施形態は、メインミラー保持枠２３３の裏面に、光軸と垂直に延びる溝部２３８が形成されている。そして遮光部材２５０は、その溝部２３８にスライド式に挿入可能となっている。その他の形状は第１実施形態と同様であるので同一の符号を付し、その説明は省略する。
【００３８】
図示するように、メインミラー保持枠２３３の被写体側（Ｚプラス側）には、裏面から断面Ｔ字上の溝部２３８が形成されている。この溝部２３８は、図示しないがメインミラー保持枠２３３のＸ方向の一端において開口している。また遮光部材２５０は断面Ｔ字状の挿入部２５２と、溝部２３８に保持された状態でメインミラー保持枠２３３の裏面から突出する突出部２５１とを有する。そして遮光部材２５０は、メインミラー保持枠２３３における溝部２３８の開口端部よりスライド式に挿入されてメインミラー保持枠２３３に保持される。
【００３９】
本実施形態によると、第１実施形態の効果に加え、このようにメインミラー保持枠２３３における溝部２３８の開口端部よりスライド式に挿入されてメインミラー保持枠２３３に保持されるので、着脱が容易であるという効果がある。
【００４０】
（変形形態）
以上、説明した実施形態に限定されることなく、以下に示すような種々の変形や変更が可能であり、それらも本発明の範囲内である。
【００４１】
（１）第１実施形態では、遮光部材５０は断面をＬ字形とした。しかし、これに限らず、遮光部材をＴ字形としてもよい。この場合、嵌合部は、遮光部材の形状に対応し、貫通孔に沿ってその両側に段部３７が形成された断面Ｔ字形の開口形状を有するものとなる。であってもよい。
【００４２】
（２）また、第２実施形態においても、遮光部材の挿入部の形状は断面Ｔ字形に限定されず、挿入部は断面Ｌ字形であってもよい。この場合も、メインミラー保持枠の溝部の形状は遮光部材の挿入部の形状と対応する形状となる。
なお、実施形態及び変形形態は、適宜組み合わせて用いることもできるが、詳細な説明は省略する。また、本発明は以上説明した実施形態によって限定されることはない。
【符号の説明】
【００４３】
１０：カメラ、３０：ミラーユニット、３１：メインミラー、３３，２３３：メインミラー保持枠、３７：段部、５０，２５０：遮光部材、５１：突出部、５２：係合部、２３８：溝部、２５０：遮光部材、２５１：突出部
【図１】
2011002531.tif 000003
【図２】
2011002531.tif 000004
【図３】
2011002531.tif 000005
【図４】
2011002531.tif 000006
【図５】
2011002531.tif 000007
【図６】
2011002531.tif 000008